(57)【要約】【課題】１回のページ編集処理により、指定ページの差し替えを実施することを可能にする画像処理装置、画像処理装置のページ編集方法および画像処理装置のページ編集プログラムを提供する。【解決手段】保存文書が選択され、差し替えを行うページが指定され、原稿の読取を実施し、イメージデータを作成し、作成したイメージデータを一時保存し、イメージデータの数を確認し、イメージデータのサイズを確認し、アラートを表示し、イメージデータのページの向きを確認し、確認したページの向きと削除するイメージデータのページの向きとが異なる場合、イメージデータを回転処理して削除するイメージデータのページの向きと同じにし、イメージデータを差し替え、一時保存したイメージデータを削除する。【選択図】図１
2006178877.tif 000002
【特許請求の範囲】
【請求項１】
原稿から読み取った画像データを保存する保存手段を具備し、該保存手段に保存された画像データのページ編集を行う画像処理装置において、
前記原稿を読み取って画像データを作成する画像データ作成手段と、
前記画像データ作成手段で作成した画像データを前記保存手段に保存する処理、および該保存手段に保存された画像データの削除を行なう保存制御手段と、
前記保存手段に保存された画像データの指定ページの差し替えを行う際に、差し替え画像データの作成、該作成した差し替え画像データの一時保存、該指定ページの削除、該一時保持した差し替え画像データの挿入を連携して処理するページ差替え手段と
を具備することを特徴とする画像処理装置。
【請求項２】
前記ページ差替え手段で指定ページの差し替えを行う際に、前記差し替え画像データのページの向きを確認するページ向き確認手段と、
前記ページ向き確認手段で確認した差し替え画像データのページの向きと、前記指定ページのページの向きとが異なる場合、該差し替え画像データのページの向きを該指定ページのページの向きに合わせる回転処理を行う回転処理手段と
を更に具備することを特徴とする請求項１記載の画像処理装置。
【請求項３】
前記ページ差替え手段で指定ページの差し替えを行う際に、前記差し替え画像データのサイズを確認するサイズ確認手段と、
前記サイズ確認手段で確認した差し替え画像データのサイズと、前記指定ページのサイズとが異なる場合、該差し替え画像データのサイズを確認する表示を表示装置に表示する表示制御手段と
を具備することを特徴とする請求項１記載の画像処理装置。
【請求項４】
原稿から読み取った画像データを保存する保存手段を具備する画像処理装置のページ編集方法において、
前記原稿を読み取って画像データを作成し、
該作成した画像データを前記保存手段に保存し、
前記保存手段に保存された画像データの指定ページの差し替えを行う際に、差し替え画像データの作成、該作成した差し替え画像データの一時保存、該指定ページの削除、該一時保持した差し替え画像データの挿入を連携して処理する
ことを特徴とする画像処理装置のページ編集方法。
【請求項５】
前記指定ページの差し替えを行う際に、前記差し替え画像データのページの向きを確認し、
該確認した差し替え画像データのページの向きと、前記指定ページのページの向きとが異なる場合、該差し替え画像データのページの向きを該指定ページのページの向きに合わせる回転処理を行う
ことを特徴とする請求項４記載の画像処理装置のページ編集方法。
【請求項６】
前記指定ページの差し替えを行う際に、前記差し替え画像データのサイズを確認し、
該確認した差し替え画像データのサイズと、前記指定ページのサイズとが異なる場合、該差し替え画像データのサイズを確認する表示を表示装置に表示する
ことを特徴とする請求項４記載の画像処理装置のページ編集方法。
【請求項７】
原稿から読み取った画像データを保存する保存手段を具備する画像処理装置のページ編集プログラムにおいて、
前記原稿を読み取って画像データを作成する処理と、
該作成した画像データを前記保存手段に保存する処理と、
前記保存手段に保存された画像データの指定ページの差し替えを行う際に、差し替え画像データの作成、該作成した差し替え画像データの一時保存、該指定ページの削除、該一時保持した差し替え画像データの挿入を連携する処理と
を画像処理装置に動作させることを特徴とする画像処理装置のページ編集プログラム。
【請求項８】
前記指定ページの差し替えを行う際に、前記差し替え画像データのページの向きを確認する処理と、
該確認した差し替え画像データのページの向きと、前記指定ページのページの向きとが異なる場合、該差し替え画像データのページの向きを該指定ページのページの向きに合わせる回転処理を行う処理と
を画像処理装置に動作させることを特徴とする請求項７記載の画像処理装置のページ編集プログラム。
【請求項９】
前記指定ページの差し替えを行う際に、前記差し替え画像データのサイズを確認する処理と、
該確認した差し替え画像データのサイズと、前記指定ページのサイズとが異なる場合、該差し替え画像データのサイズを確認する表示を表示装置に表示する処理と
を画像処理装置に動作させることを特徴とする請求項７記載の画像処理装置のページ編集プログラム。
【発明の詳細な説明】
【技術分野】
【０００１】
本発明は、画像処理装置、画像処理装置のページ編集方法および画像処理装置のページ編集プログラムに関し、特に、読み取った画像データを電子ファイルとして保存する画像処理装置、画像処理装置のページ編集方法および画像処理装置のページ編集プログラムに関する。
【背景技術】
【０００２】
従来、スキャナ等により読み取った画像データを電子ファイルとして保存する画像処理装置が普及している。
【０００３】
例えば、読み込んだイメージをプリントする以外に、イメージおよび設定情報を含めた文書として装置内に保存し、保存した文書を指定して再プリント、文書同士の合成等を行う画像形成装置およびそのプログラムを記録した記録媒体がある（例えば、特許文献１参照。）。
【特許文献１】特開２００１−３２２３１８号公報
【発明の開示】
【発明が解決しようとする課題】
【０００４】
しかし、保存した文書の任意のページを差し替える時、一旦差し替えるためのイメージを文書として保存し、差し替える部分のページの削除の前後に、その位置に保存した文書を挿入する必要があった。これでは、文書の保存、削除、挿入の文書操作が個別に必要であり、編集の操作性が十分ではない。
【０００５】
そこで、本発明は、１回のページ編集処理により、指定ページの差し替えを実施することを可能にする画像処理装置、画像処理装置のページ編集方法および画像処理装置のページ編集プログラムを提供することを目的とする。
【課題を解決するための手段】
【０００６】
上記目的を達成するため、請求項１の発明は、原稿から読み取った画像データを保存する保存手段を具備し、該保存手段に保存された画像データのページ編集を行う画像処理装置において、前記原稿を読み取って画像データを作成する画像データ作成手段と、前記画像データ作成手段で作成した画像データを前記保存手段に保存する処理、および該保存手段に保存された画像データの削除を行なう保存制御手段と、前記保存手段に保存された画像データの指定ページの差し替えを行う際に、差し替え画像データの作成、該作成した差し替え画像データの一時保存、該指定ページの削除、該一時保持した差し替え画像データの挿入を連携して処理するページ差替え手段とを具備することを特徴とする。
【０００７】
また、請求項２の発明は、請求項１の発明において、前記ページ差替え手段で指定ページの差し替えを行う際に、前記差し替え画像データのページの向きを確認するページ向き確認手段と、前記ページ向き確認手段で確認した差し替え画像データのページの向きと、前記指定ページのページの向きとが異なる場合、該差し替え画像データのページの向きを該指定ページのページの向きに合わせる回転処理を行う回転処理手段とを更に具備することを特徴とする。
【０００８】
また、請求項３の発明は、請求項１の発明において、前記ページ差替え手段で指定ページの差し替えを行う際に、前記差し替え画像データのサイズを確認するサイズ確認手段と、前記サイズ確認手段で確認した差し替え画像データのサイズと、前記指定ページのサイズとが異なる場合、該差し替え画像データのサイズを確認する表示を表示装置に表示する表示制御手段とを具備することを特徴とする。
【０００９】
また、請求項４の発明は、原稿から読み取った画像データを保存する保存手段を具備する画像処理装置のページ編集方法において、前記原稿を読み取って画像データを作成し、該作成した画像データを前記保存手段に保存し、前記保存手段に保存された画像データの指定ページの差し替えを行う際に、差し替え画像データの作成、該作成した差し替え画像データの一時保存、該指定ページの削除、該一時保持した差し替え画像データの挿入を連携して処理することを特徴とする。
【００１０】
また、請求項５の発明は、請求項４の発明において、前記指定ページの差し替えを行う際に、前記差し替え画像データのページの向きを確認し、該確認した差し替え画像データのページの向きと、前記指定ページのページの向きとが異なる場合、該差し替え画像データのページの向きを該指定ページのページの向きに合わせる回転処理を行うことを特徴とする。
【００１１】
また、請求項６の発明は、請求項４の発明において、前記指定ページの差し替えを行う際に、前記差し替え画像データのサイズを確認し、該確認した差し替え画像データのサイズと、前記指定ページのサイズとが異なる場合、該差し替え画像データのサイズを確認する表示を表示装置に表示することを特徴とする。
【００１２】
また、請求項７の発明は、原稿から読み取った画像データを保存する保存手段を具備する画像処理装置のページ編集プログラムにおいて、前記原稿を読み取って画像データを作成する処理と、該作成した画像データを前記保存手段に保存する処理と、前記保存手段に保存された画像データの指定ページの差し替えを行う際に、差し替え画像データの作成、該作成した差し替え画像データの一時保存、該指定ページの削除、該一時保持した差し替え画像データの挿入を連携する処理とを画像処理装置に動作させることを特徴とする。
【００１３】
また、請求項８の発明は、請求項７の発明において、前記指定ページの差し替えを行う際に、前記差し替え画像データのページの向きを確認する処理と、該確認した差し替え画像データのページの向きと、前記指定ページのページの向きとが異なる場合、該差し替え画像データのページの向きを該指定ページのページの向きに合わせる回転処理を行う処理とを画像処理装置に動作させることを特徴とする。
【００１４】
また、請求項９の発明は、請求項７の発明において、前記指定ページの差し替えを行う際に、前記差し替え画像データのサイズを確認する処理と、該確認した差し替え画像データのサイズと、前記指定ページのサイズとが異なる場合、該差し替え画像データのサイズを確認する表示を表示装置に表示する処理とを画像処理装置に動作させることを特徴とする。
【発明の効果】
【００１５】
本発明によれば、保存文書のページ差し替えを、差し替えるための新たなイメージデータを一旦文書に保存することなく、パネルの誘導表示に従って、原稿読み取り、削除、差込みを一連の編集処理にて実施することで、ページ編集の操作性が向上するという効果を奏する。
【００１６】
また、本発明によれば、ページ差し替えの際に、読み取ったイメージデータのページの向きを削除するページの向きに自動的に合わせる回転処理を実施するので、ページ編集後で異なったイメージデータの向きが混在することを防止することが可能になるという効果を奏する。
【００１７】
また、本発明によれば、ページ差し替えの際に、読み込んだイメージデータのサイズが削除するイメージサイズと異なる時は、アラート表示によって差し替えイメージデータのサイズを確認することができるので、誤ったサイズでの差し替えを未然に防止することが可能になるという効果を奏する。
【発明を実施するための最良の形態】
【００１８】
以下、本発明に係る画像処理装置、画像処理装置のページ編集方法および画像処理装置のページ編集プログラムの実施の形態について添付図面を参照して詳細に説明する。
【００１９】
図１は、本発明に係る画像処理装置１の機能的な構成を示すブロック図である。
【００２０】
図１に示すように、画像処理装置１は、画像読取制御部２、画像読取部３、イメージデータ作成部４、イメージデータバッファ部５、イメージデータ処理部６、保存制御部７、保存部８、ＵＩ９、表示制御部１０を具備して構成される。
【００２１】
画像読取制御部２は、各構成部の制御処理を行うとともに、作成したイメージデータの数、イメージデータのサイズおよびイメージデータのページ向きの確認を行う。
【００２２】
画像読取部３は、原稿を読み取るセンサ等を有し、原稿を読み取ってデジタルデータを入力する処理を行う。
【００２３】
イメージデータ作成部４は、画像読取部３で入力したデジタルデータに基づいてイメージデータを作成する処理を行う。
【００２４】
イメージデータバッファ部５は、イメージデータ作成部４が作成したイメージデータを一時保持する。
【００２５】
イメージデータ処理部６は、イメージデータバッファ部４に一時保持されているイメージデータに対して画像処理を行う。具体的には、ページ差し替えを行う際に、画像読取制御部２により、保存されているイメージデータと、読み取ったイメージデータとのページ向きが異なる場合、読み取ったイメージデータを回転処理して保存されているイメージデータと同じページ向きにする処理である。
【００２６】
保存制御部７は、イメージデータ作成部５で作成したイメージデータを文書（イメージデータ＋設定情報）として保存部８に保存する処理、保存部８に保存されている文書内でのページ差し替え処理を行う。なお、文書の保存先として複数のコピーボックスから選択でき、ユーザ単位で文書を整理して保存することができる。
【００２７】
ＵＩ９は、各種の情報を視覚的に表示し得るとともにユーザの指示を入力することができるタッチパネル方式のディスプレイ等であり、ページ差し替えの指示の指示等をユーザが入力するための入力部１１、読取処理の状況、保存部に保存されている文書の一覧等をユーザが確認するための表示部１２を有する。
【００２８】
表示制御部１０は、表示部１２に対する読取処理の状況、保存部８に保存されている文書の一覧等の表示制御処理を行う。
【００２９】
なお、画像処理装置と同様の動作を行うことが可能な画像処理プログラムを、一般的な複合機等にインストールする構成でも適用可能である。
【００３０】
図２は、本発明に係る画像処理装置が行うページ差し替えの処理について説明する図である。
【００３１】
ページ差し替えは、図２（ａ）に示すような１つのページに対して１つのページを差し替える処理、図２（ｂ）に示すような１つのページに対して複数のページを差し替える処理、図２（ｃ）に示すような複数のページに対して１つのページを差し替える処理、図２（ｄ）に示すような複数のページに対して複数のページを差し替える処理がある。
【００３２】
次に、本発明に係る画像処理装置でページ差し替え、ページ挿入を行う際のユーザの操作手順について説明する。
【００３３】
図３は、表示部に表示される保存部に保存されている文書一覧画面の一例を示す図である。
【００３４】
ユーザは図３に示す文書一覧画面から文書を選択し（図では、「文書１」を選択している）、ページ差し替えを行う場合は文書一覧画面上のページ差替えボタンをタッチし、また、ページ挿入を行う場合は文書一覧画面上のページ挿入ボタンをタッチする。
【００３５】
図４は、図３に示す文書一覧画面上のページ差替えボタンをタッチした際に表示部に表示される差し替えページ指定画面の一例を示す図である。
【００３６】
ユーザは図４に示す差し替えページ指定画面において差し替えを行うページを指定し、スタートボタンをタッチすると原稿の読取が開始される。
【００３７】
図５は、ページ差し替えを行う際に読み取ったイメージデータと削除するイメージデータとのサイズが異なる場合に表示部に表示されるアラート画面の一例を示す図である。
【００３８】
図５に示すように、アラート画面には、読み取ったイメージデータと削除するイメージデータとのサイズが異なる通知、読み取ったイメージデータのサイズ、および削除するイメージデータのサイズが表示されている。
【００３９】
次に、本発明に係る画像処理装置で行われるページ編集の処理手順について図６に示すフローチャートを参照して説明する。
【００４０】
保存文書が選択され（ステップＳ６０１）、差し替えを行うページが指定され（ステップＳ６０２）、原稿の読取を実施し（ステップＳ６０３）、イメージデータを作成し（ステップＳ６０４）、作成したイメージデータを一時保存し（ステップＳ６０５）、イメージデータの数を確認し（ステップＳ６０６）、イメージデータ処理ループを開始し（ステップＳ６０７）、イメージデータのサイズを確認し（ステップＳ６０８）、確認したイメージデータのサイズと削除するイメージデータのサイズとが異なる場合（ステップＳ６０９でＹＥＳ）、ステップＳ６１０に進み、また、確認したイメージデータのサイズと削除するイメージデータのサイズとが同じ場合（ステップＳ６０９でＮＯ）、ステップＳ６１１に進む。
【００４１】
確認したイメージデータのサイズと削除するイメージデータのサイズとが異なる場合（ステップＳ６０９でＹＥＳ）、アラートを表示し（ステップＳ６１０）、ステップＳ６１１に進む。
【００４２】
そして、イメージデータのページの向きを確認し（ステップＳ６１１）、確認したページの向きと削除するイメージデータのページの向きとが異なる場合（ステップＳ６１２でＹＥＳ）、ステップＳ６１３に進み、また、確認したページの向きと削除するイメージデータのページの向きとが同じ場合（ステップＳ６１２でＮＯ）、ステップＳ６１４に進む。
【００４３】
確認したページの向きと削除するイメージデータのページの向きとが異なる場合（ステップＳ６１２でＹＥＳ）、イメージデータを回転処理して削除するイメージデータのページの向きと同じにし（ステップＳ６１３）、ステップＳ６１４に進む。
【００４４】
そして、イメージデータ処理ループが終了した場合（ステップＳ６１４でＹＥＳ）、ステップＳ６１５に進み、また、イメージデータ処理ループが終了していない場合（ステップＳ６１４でＮＯ）、ステップＳ６０８に戻る。
【００４５】
イメージデータ処理ループが終了した場合（ステップＳ６１４でＹＥＳ）、イメージデータを差し替え（ステップＳ６１５）、一時保存したイメージデータを削除し（ステップＳ６１６）、処理手順を終了する。
【００４６】
なお、本発明に係る画像処理装置は、図７（ａ）および図７（ｂ）に示すようなページ挿入処理も行うことができる。
【図面の簡単な説明】
【００４７】
【図１】本発明に係る画像処理装置の機能的な構成を示すブロック図である。
【図２】本発明に係る画像処理装置が行うページ差し替えの処理について説明する図である。
【図３】表示部に表示される保存部に保存されている文書一覧画面の一例を示す図である。
【図４】図３に示す文書一覧画面上のページ差替えボタンをタッチした際に表示部に表示される差し替えページ指定画面の一例を示す図である。
【図５】ページ差し替えを行う際に読み取ったイメージデータと削除するイメージデータとのサイズが異なる場合に表示部に表示されるアラート画面の一例を示す図である。
【図６】本発明に係る画像処理装置で行われるページ編集の処理手順を示すフローチャートである。
【図７】本発明に係る画像処理装置が行うページ挿入の処理について説明する図である。
【符号の説明】
【００４８】
１    画像処理装置
２    画像読取制御部
３    画像読取制御部
４    イメージデータ作成部
５    イメージデータバッファ部
６    イメージデータ処理部
７    保存制御部
８    保存部
９    ＵＩ部
１０    表示制御部
１１    入力部
１２    表示部
【図１】
2006178877.tif 000003
【図２】
2006178877.tif 000004
【図３】
2006178877.tif 000005
【図４】
2006178877.tif 000006
【図５】
2006178877.tif 000007
【図６】
2006178877.tif 000008
【図７】
2006178877.tif 000009